(57)【要約】      （修正有）【課題】合理的な設計、簡単な構造、着用時の快適性を持つ、しかも水、汚い物、ペット足と地面との直接の接触を防止する防水ペット用靴下を提供する。【解決手段】靴下の主体部１とペットの足を収容するソール部２とに分けられる。前記主体部とソール部２は連結されていて、主体部１にペットの足が入る開口部３が設けられる。前記ソール部２の底面の外側に弾性の防水材料製の弾力防水層４が付けられる。合理的な設計、簡単な構造、弾力防水層４を付けることで、水の浸入を防止することができ、着用時の快適性を向上させると同時に、健康にも良い。また、弾力があるため、違うサイズのペットの足に適用することができ、使用範囲が広い。【選択図】図１
0003184053.tif 000002
【実用新案登録請求の範囲】
【請求項１】
靴下の主体部(1)と、ペットの足部を収容するソール部(2)を含み、前記主体部(1 )とソール部(2)が連結され、主体部(1)にペットの足が入る開口部(3)が設けられ、
前記ソール部(2)の底面の外側に弾性の防水材料製の弾力防水層(4)が付けられることを特徴する防水ペット用靴下。
【請求項２】
前記弾力防水層(4)が、ソール部(2)の底面全体を覆う上に、足裏の上の部分まで、延ばして付けられ、囲み部(41)になることを特徴とする請求項1に記載の防水ペット用靴下。
【請求項３】
前記囲み部(41) が主体部(1) 全体を覆うことを特徴とする請求項2に記載の防水ペット用靴下。
【請求項４】
前記囲み部(41)が主体部(1)の一部を覆うことを特徴とする請求項2に記載の防水ペット用靴下。
【請求項５】
前記弾力防水層(4)はPVC、PU、ゴム、シリコンのうちのひとつの材料より作られることを特徴とする請求項1、請求項2、請求項3又は請求項4に記載の防水ペット用靴下。
【請求項６】
前記主体部(1)とソール部(2)は、糸で編まれることを特徴とする請求項5に記載の防水ペット用靴下。
【請求項７】
前記開口部(3)に、主体部(1)がペットの足にくっつけるようにする弾力リング(11)が設けられることを特徴とする請求項5に記載の防水ペット用靴下。
【請求項８】
前記弾力防水層(4)の厚みが均一であることを特徴とする請求項5に記載の防水ペット用靴下。
【請求項９】
前記主体部(1)の中間部に、環状の弾力ミドルリング(12)が設けられることを特徴とする請求項5に記載の防水ペット用靴下。
【請求項１０】
前記囲み部(41)の縁は、きれいでかつ滑らかであることを特徴とする請求項2、請求項3又は請求項4に記載の防水ペット用靴下。
【考案の詳細な説明】
【技術分野】
【０００１】
本実用新案は、ペット用品の技術分野に属され、一種のペット用靴下、特に防水ペット用靴下に関するものである.
【背景技術】
【０００２】
生活品質の向上に従い、ペットを飼う人も増え続けている。しかし、猫、犬などのペットを飼う途中いろいろな問題に出会う。例えば、ペットの足裏と爪に大量・多種類の菌があり、ペットが路面、芝生、土、又はさらに汚い環境の地面を踏むと、これらの菌が知らないうちにさらに大きくなり、ペットの健康までに影響を及ぼす。その他、ペットが地面を踏む時、必ずほこり、泥、ごみなどの汚いものに触れることになり、ペットが家に戻って遊びまわることにつれて、これらの汚いものや菌も家に持ち帰られ各所につけられて、きれいな家に不便をもたらすことになる。また、子供、大人がペットと遊んでいる問、これらの汚いものと菌も身の上に付けられ、健康に悪い影響を与えることになるかもしれない。
【０００３】
もちろん、ペットの足を洗うことで、上記の問題を解決することが可能だが、下記のような問題を引起す1、ペットの足洗いは面倒で、時間と力を費やす、また、飼い主はペットが外から帰るたびにその足を洗うわけにはいけない。2、足を洗ってから水を拭かない場合、ペットが走ると、床に汚い足跡が残ることになる。3、寒い季節では、足洗ってから地面に踏むペットが冷たいと感じる。4、ペットの鋭い爪先が人(特に子供)に傷を付けるかもしれない、また、服、フローリング、家具などにも傷を付けるかもしれない。
【考案の概要】
【０００４】
本実用新案は、前記問題に対して、合理的な設計、簡単な構造、着用時の快適性を持つ、しかも水、汚い物、ペット足と地面との直接の接触を防止する防水ペット用靴下を提供する。
【０００５】
上記の問題を解決するために、人々は長い研究を続けた。例えば、
【特許文献１】中国出願番号：CN 201020222123.7Jには、一種のペット用保健靴下であって、靴下のソール部の足指部分と足裏部分に表裏とも防滑樹指を付ける、前述の防滑樹脂はソール部の足指部分と、足裏部分に設けられ、保温、爪先より人や室内品物への傷付きの防止のほか、摩擦を増し滑ることを防止することができる。防滑樹指はシリコンを使用し、柔らかく、環境にやさしく、毒性がない。
【考案が解決しようとする課題】
【０００６】
上記の案は、問題をある程度で解決することができるが、下記のような不足の点がある:1、防水性が悪い、地面に水がある場合、靴下が水を吸収するため、ペットの足が常に湿っぽくなる、これによって、ペットが気持ちよくない上に、菌が生えやすくなる。2、ペット用靴下は常に糸で編まれ、防滑樹指があっても、足裏部を完全に覆わないため、ペットが室外に走るときに、異物が付けられやすく、摩損、糸外れなどの問題がある。
【課題を解決するための手段】
【０００７】
本実用新案は、前記問題に対して、合理的な設計、簡単な構造、着用時の快適性を持つ、しかも水、汚い物、ペット足と地面との直接の接触を防止する防水ペット用靴下を提供する。
【０００８】
前記目的を実現するため、本実用新案は下記の技術案を提出する:靴下の主体部とペットの足部を収容するソール部を含み、前記の主体部とソール部が連結され、主体部にペットの足が入る開口部が設けられ、前記のソール部の底面の外側に弾性の防水材料製の弾力防水層が付けられることを特徴する防水ペット用靴下。
【０００９】
弾力防水層を設けるため、水の浸入を防ぐ、着用時の快適性を向上させると同時に、健康にも良い。その他、弾力があるため、違うサイズのペットの足に適用することができ、使用範囲が広い。一方、弾力防水層は、ペット用靴下にも保護作用があり、耐磨耗性を上げると同時に、異物が付けられにくいため、靴下への傷害を防止する。防水ペット用靴下の美観度を上げるため、主体部にいろいろな図形をつけることができる。また、ペットの種類に従って、防水ペット用靴下をいろいろな形状に設計することができる。
【００１０】
上記の防水ペット用靴下において、前記の弾力防水層がソール部の底面全体を覆う上に、足裏の上の部分まで延ばして付けられ、囲み部になる。囲み部は防水性を一層上げることができる。
【００１１】
上記の防水ペット用靴下において、前記の囲み部が主体部全体を覆うことになる。この構造を持つペット用靴下は更に良い防水性を持ち、更に丈夫になり、使用寿命が長くなる上に、加工しやすい。
【００１２】
もう一つの案として、上記の防水ペット用靴下において、前記の囲み部が主体部の一部を覆うことになる。この構造持つペット用靴下のコストが低い上に、防水性と通気性を兼備する。
【００１３】
上記の防水ペット用靴下において、前記の弾力防水層はPVC、PU、ゴム、シリコンのうちのひとつの材料より作られることになる。弾力防水層はほかの弾力がある防水材料より作ることもできる。
【００１４】
上記の防水ペット用靴下において、前記の主体部とソール部は糸より編まれることになる。例えば、綿糸、麻糸、毛糸、ナイロン糸、ポリエステル糸などの糸を使う。
【００１５】
上記の防水ペット用靴下において、前記の開口部に、主体部がペットの足にくっつけるようにする弾力リングが設けられることになる。
【００１６】
上記の防水ペット用靴下において、前記の弾力防水層の厚みが均一である。
【００１７】
上記の防水ペット用靴下において、前記の主体部の中間部に環状の弾力ミドルリングが設けられることになる。弾力ミドルリングは着用時のくっつけ性を更に上げることができる。
【００１８】
上記の防水ペット用靴下において、前記の囲み部の縁はきれいでかつ滑らかである。
【考案の効果】
【００１９】
従来技術と比べ、合理的な設計、簡単な構造、弾力防水層を付けることで水の浸入を防止することができ、着用時の快適性を向上させると同時に、健康にも良いなどはこの防水ペット用靴下のメリットである。また、弾力があるため、違うサイズのペットの足に適用することができ、使用範囲が広い。一方、弾力防水層はペット用靴下にも保護作用があり、耐磨耗性を上げると同時に、異物が付けられにくいため、靴下への傷害を防止する。
【図面の簡単な説明】
【００２０】
【図１】は、本実用新案の実施例1の構造を示す図である。
【図２】は、本実用新案の実施例1の立体構造を示す図である。
【図３】は、本実用新案の実施例の構造を示す図である。
【図４】は、本実用新案の実施例2の立体構造を示す図である
【符号の説明】
【００２１】
図中、1は、主体部、2は、ソール部、3は、開口部、4は、弾力防水層、41は囲み部、11は、弾力リング、12は、弾力ミドルリングである。
【考案を実施するための最良の形態】
【００２２】
次に、図面と実施形態に基づき、本実用新案について詳細に説明する。
【実施例１】
【００２３】
図1、2が示すように、本防水ペット用靴下は、主体部1とペットの足を収容するソール部2を含む。主体部1とソール部2は糸で編まれ、糸は糸、麻糸、毛糸、ナイロン糸、ポリエステル糸などいろいろな種類の材質を使ってもよい。
開口部3に主体部1がペットの足にくっつけるようにする弾力リング11が設けられ、主体部1の中間部に環状の弾力ミドルリング12が設けられる。主体部1とソール部2が連結され、主体部1にペットの足が入る開口部3が設けられ、ソール部2の底面の外側に弾性の防水材料製の弾力防水層4が付けられ、弾力防水層4の厚みが均一である。弾力防水層4はPVC、PU、ゴム、シリコンのうちのひとつの材料より作られ、ほかの弾力がある防水材料より作ることもできる。
【００２４】
本実施例中、弾力防水層4がソール部2の底面全体を覆う上に、足裏の上の部分まで延ばして付けられ、囲み部41になる。囲み部41は主体部1を覆う。本実施例では、囲み部41の縁はきれいでかつ滑らかである。
【００２５】
防水ペット用靴下の美観度を上げるため、主体部にいろいろな図形をつけることができる。また、ペットの種類に従って、防水ペット用靴下をいろいろな形状に設計することができる。
【実施例２】
【００２６】
図3、4が示すように、囲み部41が、主体部1の全体を覆う。他の部分は実施例1と同様であるため、説明を省略する。
【００２７】
本明細書の実施例は、本実用新案の趣旨についての具体的な例の説明に過ぎない。本実用新案に属される技術分野の技術者は、説明した実施形態にいろいろな変更、補充、又は類似方式での代替をすることができるが、それも本実用新案の趣旨文は添付の請求書に定義される範囲内である。
【００２８】
本文は主体部1、ソール部2、開口部3、弾力防水層4、囲み部41、弾力リング11、弾力ミドルリング12などの用語を多く使用するが、別の用語使用することも可能である。上記の用語は実用新案の本質を簡単に説明・解釈するためだけであり、これらの用語を限定だと考えることは本実用新案の趣旨に違反することになる。
【図１】
0003184053.tif 000003
【図２】
0003184053.tif 000004
【図３】
0003184053.tif 000005
【図４】
0003184053.tif 000006